【事件の表示】
　平成１０年特許願第１０７４４６号「電気調理器」拒絶査定に対する審判事件［平成１１年１１月　２日出願公開、特開平１１−２９９６５２］について、次のとおり審決する。
【結　論】
　本件審判の請求は、成り立たない。
【理　由】
１．手続の経緯
　
　本願は、平成１０年４月１７日の出願であって、原審における平成１２年７月２１日付けの拒絶理由通知書に記載した理由により平成１３年５月１０日付けで拒絶査定（平成１３年６月５日発送）され、これに対し、同年６月２７日に審判請求され、同年７月６日付けで特許法第１７条の２第１項第３号の規定による手続補正書が提出された。
　
２．補正の却下の決定
　
［補正却下の決定の結論］
　
　平成１３年７月６日付けの手続補正書を却下する。
　
［理　由］
　
（１）補正後の特許請求の範囲に記載された発明
　
　平成１３年７月６日付けの手続補正書（以下「本件補正」という。）により補正された本願の特許請求の範囲に記載された発明は、次のとおりのものである。
「【請求項１】所定の方向に配設されていて調理網上の調理物を加熱調理する発熱体を備え、該発熱体の下方に上記調理物から出た油分を留める受け皿が設置されているとともに、上記調理網と上記受け皿との間に、上記発熱体からの放射熱を上記調理網上の調理物方向に反射させて加熱効率を向上させる一方、下方側受け皿内への遮熱機能を果たして当該受け皿内に集められた油分が焼かれて発煙源となるのを防止する熱反射板が設置される電気調理器であって、上記熱反射板は、上記設置状態において上記発熱体の配設方向と交錯する方向に延びる多数列の凹状の溝を備え、これら各凹状の溝の底部に長手方向に所定の間隔を保って多数の油抜き穴を設けた波形構造の金属板よりなることを特徴とする電気調理器。
【請求項２】発熱体が、調理網の上方に備えられていることを特徴とする請求項１記載の電気調理器。
【請求項３】発熱体が、調理網の上方と下方の両方に備えられ、熱反射板は、上記下方側の発熱体と受け皿との間に設置されていることを特徴とする請求項１記載の電気調理器。」
　
（２）引用例に記載された事項
　
　原審における平成１２年７月２１日付けの拒絶理由通知書の中で引用した実公昭４６−２８５３４号公報（以下「引用例」という。）には、図面と共に次の記載がある。
　
　ア「本案は被調理物の外形を損わず、又煙を殆ど出さずに焙焼し得るようにした電気ロースタを提供せんとするものである。」（１欄１９〜２１行）
　
　イ「本案は・・・ロースタ本体１内の上、下に側部より中央寄りに上、下部ヒータ６，６（審決注、「５，６」の誤記と認める。）を配設し、このヒータ５，６間に焼網７を設けるから焼網７上の被調理物１６は直上、直下から迅速に充分に加熱され被調理物１６を調理中に裏返しにする必要がないので裏返作業時に被調理物１６の形がくずれて外観を損なう虞れが全くなく、又各ヒータ５，６をガラス管ヒータにて構成するから管表面がきわめて高温となり被調理物１６から滴下する油、汁等がふりかかつてもはじかれて焼網７の周囲の反射枠８に飛散して下方に流れ落ちるので油、汁等が焦げついて煙を出すことも殆どなく、しかも反射枠８のため被調理物１６は側方からも加熱され前記構成と相俟ち全周から効果的に加熱され美味に焼き上り、さらに反射枠８の下端９を内方に傾斜して屈曲し流下口１０を有する集油板１１上方に臨設せしめかつ集油板１１の下方にはロースタ本体１に収脱自在の油受１４を配設したから、反射枠８に飛散した被調理物１６の油、汁等は下端９から集油板１１に流下し、さらに流下口１０から油受１４に集まり、集油板１１のため下部ガラス管ヒータ６から遮断されこれが燃えて煙を出すこともなく、又使用後は油受１４及び反射枠８を取り出して洗浄することができる。」（１欄末行〜２欄２３行）
　
（３）対比・一致点・相違点
　
　補正後の特許請求の範囲請求項１に係る発明（以下「本願補正発明」という。）と引用例記載の発明を対比すると、引用例記載の「焼網７」が本願補正発明の「調理網」に相当し、以下同様に、「被調理物１６」が「調理物」に、「上、下部ヒータ５，６」が「発熱体」に、「油受１４」が「受け皿」に相当する。また、引用例記載の「集油板１１」は、油受１４に集まった油や汁等をヒータ６から遮断してこれが燃えて煙を出すことを防止する作用を奏するものであるから、ヒータからの放射熱を反射する一方、油受への遮熱機能を有するものであると認められるのであって、本願補正発明の「熱反射板」に相当する。
　そうすると、本願補正発明と引用例記載の発明は、下記の「一致点」で一致するものであるが、下記の「相違点」で相違するものと認められる。
　
　ア　一致点
「所定の方向に配設されていて調理網上の調理物を加熱調理する発熱体を備え、該発熱体の下方に上記調理物から出た油分を留める受け皿が設置されているとともに、上記調理網と上記受け皿との間に、上記発熱体からの放射熱を上記調理網上の調理物方向に反射させて加熱効率を向上させる一方、下方側受け皿内への遮熱機能を果たして当該受け皿内に集められた油分が焼かれて発煙源となるのを防止する熱反射板が設置される電気調理器であって、上記熱反射板は、上記設置状態において複数列の凹状の溝を備え、これら各凹状の溝の底部に長手方向に油抜きを設けた構造の板よりなる電気調理器。」
　
　イ　相違点
　本願補正発明の熱反射板は、「上記設置状態において上記発熱体の配設方向と交錯する方向に延びる多数列の凹状の溝を備え、これら各凹状の溝の底部に長手方向に所定の間隔を保って多数の油抜き穴を設けた波形構造の金属板よりなる」ものであるのに対し、引用例に記載された、熱反射板に相当する「集油板」は、設置状態において発熱体の配設方向に延びる２列の凹状の溝を備え、これら各凹状の溝の底部に長手方向に油抜き口を設けた構造のものである点。
　
（４）相違点の検討
　
　ア　実公昭４６−３５８７７号公報（以下「周知例１」という。）
　周知例１は、ヒータにより魚等を焼物に調理する電気調理器に関するものであって、ヒータ８の下部に、ヒータの配設方向と直交する方向に延びる多数列の凹状の溝を備えるように波形に形成され、かつ、波形の谷に設けられた溝穴１１から油脂を滴下させ、かつ、ヒータからの熱を反射する作用を奏する波形構造の補助板９が記載されている。
　
　イ　実願平２−７７６２４号（実開平４−３６９３９号）のマイクロフィルム（以下「周知例２」という。）
　周知例２は、ヒータ等の熱源により肉や魚を調理するロースターに関するものであって、熱源６の下方に、突部４４と傾斜垂下部４２間の底部に形成された小孔により肉や魚から滴下する脂肪等を水受皿７の水に落下させ、かつ、ヒーター等の熱源からの輻射熱を反射して加熱室５内を更に加熱する作用を奏する反射板４が記載されている。そして、周知例２の第１図が図示するところによれば、反射板４は波形を形成しているから波形構造であると認められる。
　
　周知例１及び２が示す周知技術を参酌すれば、相違点に係る本願補正発明の構成要件は、当業者であれば、周知技術を引用例１記載の発明に適用することにより容易に発明をすることができたものである。
　本願補正発明の作用効果を検討しても、引用例記載の発明及び周知の技術から当業者が容易に予測し得る程度であって、これを超えるような顕著な効果を奏するものとは認められない。
　
（５）むすび
　
　以上のとおりであるから、本願補正発明は、引用例記載の発明及び周知技術に基づいて当業者が容易に発明をすることができたものであるから、特許法第２９条第２項の規定により、特許出願の際独立して特許を受けることができないものである。
　したがって、本件補正は、特許法第１７条の２第４項において読み替えて準用する同法第１２６条第３項に違反するから、同法第１５９条第１項において読み替えて準用する同法第５３条第１項の規定により却下されるべきものである。
　
３．本願発明について
　
（１）本願の特許請求の範囲の記載
　
　本件補正は、上記のとおり却下されたので、本願発明は、平成１２年１０月１１日付けの手続補正書により補正された特許請求の範囲に記載された次のとおりのものである。
「【請求項１】調理網上の調理物を加熱調理する加熱源を備え、該加熱源の下方に上記調理物から出た油分を留める受け皿を設置してなる電気調理器において、上記調理網と受け皿との間に多数の凹状の溝を備え、これら各凹状の溝の底部に長手方向に所定の間隔を保って多数の油抜き穴を有する波形構造の熱反射板を設けたことを特徴とする電気調理器。
【請求項２】加熱源が、調理網の上方に備えられていることを特徴とする請求項１記載の電気調理器。
【請求項３】加熱源が、調理網の上方と下方の両方に備えられ、熱反射板は、上記下方側の加熱源と受け皿との間に設けられていることを特徴とする請求項１記載の電気調理器。」
　
（２）本願の請求項１に係る発明の容易想到性について
　
　本願の請求項１に係る発明は、本願補正発明がこれを実質的に減縮したものであって、この本願補正発明について、前記のとおり、その進歩性が否定される以上、本願の請求項１に係る発明も、本願補正発明についてと同様な理由により、その進歩性が否定されるものであるというべきである。
　
（３）まとめ
　
　したがって、本願の請求項１に係る発明は、引用例記載の発明及び周知技術に基づいて当業者が容易に発明をすることができたものであるから、特許法第２９条第２項の規定により特許を受けることができない。
　よって、本願の請求項２及び請求項３に係る発明を判断するまでもなく、結論のとおり審決する。